【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
眼鏡フレームのリムの溝に挿入された測定子の移動位置を検知してリムの動径方向（ＸＹ方向）及び動径方向に対する垂直方向（Ｚ方向）の形状を得る測定ユニットであって、前記測定子が取り付けられた測定子軸を持ち、前記測定子軸を前記測定子の先端方向に傾斜可能に保持する測定子保持ユニットと、前記測定子保持ユニットを移動する移動手段と、を有する測定ユニットを備える眼鏡枠形状測定装置において、
リム測定モードと型板測定モードとを選択する測定モード選択手段と、
前記型板測定モード時に、前記測定子とは反対側に位置する前記測定子軸の背面を型板のエッジに接触させるように前記移動手段を制御して前記型板の動径情報を得る演算制御手段であって、前記型板の測定途中では、前記型板の測定済み情報に基づき、前記測定子軸の傾斜が垂直を維持するように前記移動手段を制御する演算制御手段と、
を備えることを特徴とする眼鏡枠形状測定装置。
【請求項２】
請求項１の眼鏡枠形状測定装置において、
前記測定子軸の傾斜角度を検知する傾斜角検知手段を備え、
前記演算制御手段は、前記傾斜角検知手段によって検知される前記測定子軸の傾斜情報に基づき、前記測定子保持ユニットの位置情報を補正して前記型板の動径情報を求めることを特徴とする眼鏡枠形状測定装置。
【請求項３】
請求項１又は２の眼鏡枠形状測定装置において、
リムの測定時に前記測定子軸が前記測定子の先端方向に傾斜するように測定圧を付与する第１測定圧付与機構と、前記型板の測定時に前記測定子軸の背面が型板側に傾斜するように測定圧を付与する第２測定圧付与機構と、第１測定圧付与機構と第２測定圧付与機構とを切換える切換え手段と、を備えることを特徴とする眼鏡枠形状測定装置。
【請求項４】
請求項１〜３の何れかの眼鏡枠形状測定装置において、
前記移動手段は、前記垂直方向の軸を中心に前記測定子保持ユニットを回転する回転手段を含み、
前記演算制御手段は、前記測定子保持ユニットの動径方向の位置情報、前記回転手段の回転情報及び前記測定子軸の傾斜情報に基づいて前記型板の動径情報を求めることを特徴とする眼鏡枠形状測定装置。
【請求項５】
測定子が取り付けられた測定子軸を持ち、前記測定子軸を傾斜可能に保持する測定子保持ユニットと、前記測定子保持ユニットを移動する移動手段と、を有し、
前記測定子軸の傾斜を用いて、眼鏡フレームのリムの溝に前記測定子を挿入しながら、前記測定子の移動位置を検知してリムの形状を得る測定ユニットを備える眼鏡枠形状測定装置において、
型板の測定時において、前記測定子とは反対側に位置する前記測定子軸の背面を前記型板に接触させるように前記移動手段を制御して前記型板の形状を得る演算制御手段を備え、
前記演算制御手段は、前記型板の測定中における前記測定子軸の傾斜が抑制されるように、前記移動手段を制御することを特徴とする眼鏡枠形状測定装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  眼鏡フレームのリムの溝に挿入された測定子の移動位置を検知してリムの動径方向（ＸＹ方向）及び動径方向に対する垂直方向（Ｚ方向）の形状を得る測定ユニットであって、前記測定子が取り付けられた測定子軸を持ち、前記測定子軸を前記測定子の先端方向に傾斜可能に保持する測定子保持ユニットと、前記測定子保持ユニットを移動する移動手段と、を有する測定ユニットを備える眼鏡枠形状測定装置において、リム測定モードと型板測定モードとを選択する測定モード選択手段と、前記型板測定モード時に、前記測定子とは反対側に位置する前記測定子軸の背面を型板のエッジに接触させるように前記移動手段を制御して前記型板の動径情報を得る演算制御手段であって、前記型板の測定途中では、前記型板の測定済み情報に基づき、前記測定子軸の傾斜が垂直を維持するように前記移動手段を制御する演算制御手段と、を備えることを特徴とする。
（２）  （１）の眼鏡枠形状測定装置において、前記測定子軸の傾斜角度を検知する傾斜角検知手段を備え、前記演算制御手段は、前記傾斜角検知手段によって検知される前記測定子軸の傾斜情報に基づき、前記測定子保持ユニットの位置情報を補正して前記型板の動径情報を求めることを特徴とする。
（３）  （１）又は（２）の眼鏡枠形状測定装置において、リムの測定時に前記測定子軸が前記測定子の先端方向に傾斜するように測定圧を付与する第１測定圧付与機構と、型板の測定時に前記測定子軸の背面が型板側に傾斜するように測定圧を付与する第２測定圧付与機構と、第１測定圧付与機構と第２測定圧付与機構とを切換える切換え手段と、を備えることを特徴とする。
（４）  （１）〜（３）の何れかの眼鏡枠形状測定装置において、前記移動手段は、前記垂直方向の軸を中心に前記測定子保持ユニットを回転する回転手段を含み、前記演算制御手段は、前記測定子保持ユニットの動径方向の位置情報、前記回転手段の回転情報及び前記測定子軸の傾斜情報に基づいて前記型板の動径情報を求めることを特徴とする。
（５）  測定子が取り付けられた測定子軸を持ち、前記測定子軸を傾斜可能に保持する測定子保持ユニットと、前記測定子保持ユニットを移動する移動手段と、を有し、前記測定子軸の傾斜を用いて、眼鏡フレームのリムの溝に前記測定子を挿入しながら、前記測定子の移動位置を検知してリムの形状を得る測定ユニットを備える眼鏡枠形状測定装置において、型板の測定時において、前記測定子とは反対側に位置する前記測定子軸の背面を前記型板に接触させるように前記移動手段を制御して前記型板の形状を得る演算制御手段を備え、前記演算制御手段は、前記型板の測定中における前記測定子軸の傾斜が抑制されるように、前記移動手段を制御することを特徴とする。
【手続補正３】
【補正対象書類名】明細書
【補正対象項目名】００３０
【補正方法】変更
【補正の内容】
【００３０】
測定子保持ユニット２５０の型板ＴＰ側への移動により、測定子軸２８２の背面２８２ａが型板ＴＰのエッジに接触し、さらに型板ＴＰ側に測定子保持ユニット２５０が移動されると、バネ２９３の付勢力に抗して、測定子軸２８２がＨｆ方向に傾斜される。測定子軸２８２のＨｆ方向の傾斜角は、エンコーダ２８５によって検出される。測定子軸２８２が垂直方向になると（Ｚ方向に一致すると）、制御部５０は、測定子保持ユニット２５０の型板ＴＰ側への移動を停止し、この時点から測定を開始する。
【手続補正４】
【補正対象書類名】明細書
【補正対象項目名】００３５
【補正方法】変更
【補正の内容】
【００３５】
制御部５０は、測定開始から所定の測定ポイント数（５ポイント数）の動径情報が得られたら、測定済みの動径情報に基づいて次の測定ポイント（未測定ポイント）の変化を予測し、その結果に基づき、測定子軸２８２が垂直を維持したまま型板ＴＰのエッジに沿うように、測定子保持ユニット２５０をＸＹ方向に移動する。また、制御部５０は、モータ２６５の駆動を制御し、回転ベース２６１を回転してＶＨユニット２８０を回転する。このときの回転角は、測定子軸２８２の背面２８２ａが型板ＴＰの動径に対して法線方向となるように決定される。または、回転角は、型板ホルダー３１０の保持中心を基準にした動径角として決定される。または、回転角は、型板ホルダー３１０の保持中心を基準にした動径角と、リムの動径変化に対する法線方向と、の間の角度として決定される。こうした動作を繰り返すことにより、型板ＴＰの全周の動径情報が測定される。